(57)【要約】      （修正有）【課題】専用の装置を構築することなく、家庭レベル或いは個人レベルにおいて手軽に利用できるようにし、かつ廉価に提供するとともに、全体の多機能性（多様性）及び発展性を高める。【解決手段】人体に対して直接的に又は間接的にあてがうことにより岩盤浴を行えるようにした岩盤浴具１であって、シリコンゴム２の中に、粒子を略３００〔μｍ〕以下にした、主鉱物３ａとなるバドガシュタイン鉱石と北投石の一方又は双方の粉末、及び他の一又は二以上の補助鉱物３ｂの粉末を、２０〜４０〔重量％〕混在させ、かつ厚さＤｔを略１〜３〔ｍｍ〕に形成した岩盤浴用シート４を備える。【選択図】図１
2008148899.tif 000002
【特許請求の範囲】
【請求項１】
人体に対して直接的に又は間接的にあてがうことにより岩盤浴を行えるようにした岩盤浴具において、シリコンゴムの中に、粒子の径を略３００〔μｍ〕以下にした、主鉱物となるバドガシュタイン鉱石と北投石の一方又は双方の粉末、及び他の一又は二以上の鉱物（補助鉱物）の粉末を、２０〜４０〔重量％〕混在させ、かつ厚さを略１〜３〔ｍｍ〕に形成した岩盤浴用シートを備えてなることを特徴とする岩盤浴具。
【請求項２】
前記補助鉱物には、少なくとも、ラドン鉱石，ドラバイト鉱石，ブラックシリカ，リモナイトの一又は二以上を含むことを特徴とする請求項１記載の岩盤浴具。
【請求項３】
前記岩盤浴用シートを人体にあてがうための補助具を備えることを特徴とする請求項１又は２記載の岩盤浴具。
【請求項４】
前記補助具は、人体の腰に巻付け、かつ前記岩盤浴用シートを収容する一又は二以上のポケットを有する腰巻バンドであることを特徴とする請求項３記載の岩盤浴具。
【発明の詳細な説明】
【技術分野】
【０００１】
本発明は、人体に対して直接的に又は間接的にあてがうことにより岩盤浴を行えるようにした岩盤浴具に関する。
【背景技術】
【０００２】
一般に、岩盤上に寝転んだ状態の身体を地熱（遠赤外線等）により暖めるようにした岩盤浴は知られている。このような岩盤浴は、大量の発汗作用による有害物質の排出により健康増進や病気予防（療養・休養・保養）などの効果が認められている。
【０００３】
ところで、このような岩盤浴を行うことができるのは、特定の地域（温泉地）に限られることから、利用できる対象者も観光客や地元住民などに限られてしまう。このため、従来、天然の岩盤浴を模した装置も提案されており、例えば、特開２００６−２５８５９号公報には、熱源部と、この熱源部によって収容した蒸気水が加熱される蒸気熱発生部と、この蒸気熱発生部で発生する蒸気熱を熱伝導する多孔質岩盤とからなる岩盤浴装置が開示されている。
【特許文献１】特開２００６−２５８５９号
【発明の開示】
【発明が解決しようとする課題】
【０００４】
しかし、上述した従来の岩盤浴装置は、次のような問題点があった。
【０００５】
第一に、岩盤浴専用の装置として構成するため、全体の装置構造が大掛かり、かつ大型化し、かなりのイニシャルコストが強いられるとともに、ランニングコストも無視できない。
【０００６】
第二に、装置構造が大型化することから広い設置スペースを必要とするとともに、岩盤浴専用の装置として構成することから、家庭レベル或いは個人レベルにおいて手軽に利用することができない。
【０００７】
第三に、天然の岩盤浴に模した形式で構築されるため、岩盤浴としての利用に限られる。したがって、他の用途を考慮した利用ができないなど、全体の多機能性（多様性）及び発展性に劣る。
【０００８】
本発明は、このような背景技術に存在する課題を解決した岩盤浴具の提供を目的とするものである。
【課題を解決するための手段】
【０００９】
本発明に係る岩盤浴具１は、上述した課題を解決するため、人体Ｈに対して直接的に又は間接的にあてがうことにより岩盤浴Ｐを行えるようにした岩盤浴具であって、シリコンゴム２の中に、粒子を略３００〔μｍ〕以下にした、主鉱物３ａとなるバドガシュタイン鉱石と北投石の一方又は双方の粉末、及び他の一又は二以上の鉱物（補助鉱物）３ｂの粉末を、２０〜４０〔重量％〕混在させ、かつ厚さＤｔを略１〜３〔ｍｍ〕に形成した岩盤浴用シート４を備えてなることを特徴とする。
【００１０】
この場合、発明の好適な態様により、補助鉱物３ｂには、少なくとも、ラドン鉱石，ドラバイト鉱石，ブラックシリカ，リモナイトの一又は二以上を含ませることができる。また、岩盤浴用シート４を人体Ｈにあてがうための補助具１１を用いることができる。補助具１１としては、人体Ｈの腰に巻付け、かつ岩盤浴用シート４を収容する一又は二以上のポケット１２ａ，１２ｂ…を有する腰巻バンド１３を用いることができる。
【発明の効果】
【００１１】
このような構成を有する本発明に係る岩盤浴具１によれば、次のような顕著な効果を奏する。
【００１２】
（１）  シリコンゴム２の中に、粒子を略３００〔μｍ〕以下にした、主鉱物３ａとなるバドガシュタイン鉱石と北投石の一方又は双方の粉末、及び他の一又は二以上の補助鉱物３ｂの粉末を、２０〜４０〔重量％〕混在させ、かつ厚さＤｔを略１〜３〔ｍｍ〕に形成した岩盤浴用シート４を備えるため、シンプルな構成により安価に提供できるとともにランニングコストも無視でき、経済性にも優れる。
【００１３】
（２）  シリコンゴム２をベース材に使用した岩盤浴用シート４を備えるため、例えば、ロール状に巻くことができるなど、岩盤浴具１を保管する際の保管性及び持ち運びする際の携帯性を高めることができる。したがって、例えば、一般家庭の浴槽の内部等に敷いて利用できるなど、専用の装置が不要になるとともに、そのための設置スペースも不要となり、家庭レベル或いは個人レベルにおいて手軽に岩盤浴を行うことができる。
【００１４】
（３）  主鉱物３ａとなるバドガシュタイン鉱石と北投石の一方又は双方の粉末、及び他の一又は二以上の補助鉱物３ｂの粉末を混在させた岩盤浴用シート４を備えるため、岩盤浴用シート４を人体Ｈに対して直接的に又は間接的にあてがうことにより、人体Ｈの体温と岩盤浴用シート４が共鳴して人体Ｈを効果的に温めることができる。
【００１５】
（４）  厚さＤｔを略１〜３〔ｍｍ〕に形成した岩盤浴用シート４を備えるため、例えば、携帯することができるように任意の形状或いは大きさに成形又は切断することにより、様々な態様及び用途に利用できるなど、全体の多機能性（多様性）及び発展性を飛躍的に高めることができる。
【００１６】
（５）  好適な態様により、補助鉱物３ｂに、少なくとも、ラドン鉱石，ドラバイト鉱石，ブラックシリカ，リモナイトの一又は二以上を含ませれば、コスト対岩盤浴効果（コストパフォーマンス）を最適な状態にすることができる。
【００１７】
（６）  好適な態様により、岩盤浴用シート４を人体Ｈにあてがうための補助具１１を用いれば、岩盤浴用シート４の多機能性（多様性）及び発展性、更には使い勝手を高めることができる。
【００１８】
（７）  好適な態様により、補助具１１として、人体Ｈの腰に巻付け、かつ岩盤浴用シート４を収容する一又は二以上のポケット１２ａ，１２ｂ…を有する腰巻バンド１３を用いれば、岩盤浴用シート４の有効性及び装身性を高めることができる。
【発明を実施するための最良の形態】
【００１９】
次に、本発明に係る最良の実施形態を挙げ、図面に基づき詳細に説明する。
【００２０】
まず、本実施形態に係る岩盤浴具１に使用する材料及び岩盤浴具１の製造方法について、図１を参照して説明する。
【００２１】
最初に、岩盤浴具１に使用する材料について説明する。岩盤浴具１には、シリコンゴム（シリコンゴム素材）２と、岩盤浴に効果のある選定した特定の鉱物を使用する。使用する鉱物は、次の三グループに分けた鉱物を考慮する。
【００２２】
第一グループは、岩盤浴に最も効果が認められる天然の鉱物であり、この第一グループの鉱物には、主鉱物３ａとなるバドガシュタイン鉱石及び北投石を含む。そして、本実施形態に係る岩盤浴具１では、このバドガシュタイン鉱石と北投石の一方又は双方を必須の材料として使用する。なお、バドガシュタイン鉱石は、オーストリアにあるバドガシュタイン地方から産出されるラジウム含有量の多い鉱物であり、北投石は、重晶石の一種であり、秋田県玉川温泉や台湾台北州から産出される、鉛，ストロンチュウム，カルシウム等を含む鉱物である。
【００２３】
また、第二グループは、岩盤浴において第一グループの鉱物よりは効果は劣るものの遠赤外線を放射するなど、健康増進や病気予防に効果が認められる天然の鉱物であり、この第二グループの鉱物には、ラドン鉱石，ドラバイト鉱石，ブラックシリカ，リモナイトなどの各種の補助鉱物３ｂを含む。そして、本実施形態に係る岩盤浴具１では、少なくとも、ラドン鉱石，ドラバイト鉱石，ブラックシリカ，リモナイトの一又は二以上の補助鉱物３ｂを必須の材料として使用する。なお、ラドン鉱石は、微量のラドンや放射能を放出する鉱物であり、ドラバイト鉱石は、マグネシウムを主成分としたトルマリン鉱物であり、ブラックシリカは、珪酸を主成分として数パーセントの炭素とミネラルを含有する鉱物（黒鉛珪酸）であり、リモナイトは、褐鉄鉱或いは沼鉄鉱沼と言われ、地や浅い海などの鉄分を多く含む水が空気に触れて沈殿した黄土である。
【００２４】
さらに、第三グループは、岩盤浴において第二グループの鉱物よりは効果は劣るものの健康増進や病気予防に一定の効果がある鉱物であり、天然の鉱物のみならずセラミックス等の人工の鉱物も含む。この第三グループの鉱物には、麦飯石，磁鉄鉱石，磁場鉱石，ブラックショールトルマリン，ベントナイト，珪藻土，ミロナイト，生効石，モンゴル石英斑岩，黒雲母鉱石，リチアトルマリン，モナズ鉱石，ジルコニア鉱石，チタン鉱石，ペグマタイト，モンモリロナイト，ガスール等の鉱物を含む。そして、本実施形態に係る岩盤浴具１では、必要に応じて、この第三グループに含む鉱物の一又は二以上を選択して使用できる。したがって、第三グループに含む鉱物は、必ずしも使用しなければならない必須の材料ではなく、いわば第二グループの鉱物に加えて使用することができる。
【００２５】
次に、岩盤浴具１の製造方法について説明する。岩盤浴具１を製造するに際しては、基本的に、シリコンゴム（シリコンゴムシート）の製造工程を利用することができる。まず、主鉱物３ａとなる第一グループのバドガシュタイン鉱石及び北投石を粉砕処理することにより、粒子の径が略３００〔μｍ〕以下の粉末（パウダー）を製造する。なお、本実施形態では、主鉱物３ａとしてバドガシュタイン鉱石及び北投石の双方を使用した。
【００２６】
また、第二グループに含む補助鉱物３ｂを粉砕処理することにより、主鉱物３ａと同様に粒子の径が略３００〔μｍ〕以下の粉末（パウダー）を製造する。なお、本実施形態では、補助鉱物３ｂとして、ラドン鉱石，ドラバイト鉱石，ブラックシリカ及びリモナイトの全てを使用した。
【００２７】
さらに、第三グループに含む鉱物を粉砕処理することにより、主鉱物３ａ及び補助鉱物３ｂと同様に、粒子の径が略３００〔μｍ〕以下の粉末（パウダー）を製造する。第三グループに含む鉱物は、補助鉱物３ｂの一部が入手できない場合などにおいて、必要により使用することができるが、通常は、第三グループの鉱物から１０種類程度を選択して使用することが望ましい。なお、本実施形態では、麦飯石，磁鉄鉱石，ブラックショールトルマリン，ベントナイト，珪藻土，ミロナイト，生効石，モンゴル石英斑岩，黒雲母鉱石を使用した。
【００２８】
次いで、主鉱物３ａの粉末、補助鉱物３ｂの粉末及び第三グループにおける鉱物の粉末をそれぞれ計量して調合する。この場合、岩盤浴具１のベース材として使用するシリコンゴム２に対して、鉱物の全体が略２０〜４０〔重量％〕、望ましくは略３０〔重量％〕となるように調合する。これにより所定の鉱物粉末３が得られる。主鉱物３ａの粉末、補助鉱物３ｂの粉末及び第三グループにおける鉱物の粉末の配合比は任意であるが、この配合比を選定することにより、コスト対岩盤浴効果（コストパフォーマンス）を最適な状態に設定できる利点がある。即ち、主鉱物３ａは、通常入手しにくく、かつ高価であるが、補助鉱物３ｂは比較的入手が容易であり、かつさほど高価ではない。同様に、第三グループにおける鉱物も比較的入手が容易であり、かつさほど高価ではない。したがって、各グループ（第一グループ〜第三グループ）の配合比を選定することにより、コストパフォーマンスを最適な状態に設定できる。
【００２９】
一方、調合した鉱物粉末３とシリコンゴム素材を用いて、厚さＤｔが略２〔ｍｍ〕となる岩盤浴用シート４を製造する。この場合、厚さＤｔは略２〔ｍｍ〕が好適であるが、略１〜３〔ｍｍ〕であれば、望ましい岩盤浴用シート４を得ることができる。岩盤浴用シート４の製造に際しては、まず、配合工程によりシリコンゴム素材と鉱物粉末３を配合する。次いで、混練工程により混練し、シリコンゴム素材内に鉱物粉末３を均一に分布（混在）させる。そして、混練工程により得られたシリコンゴム材料は、熱及び圧力を加える加硫工程及び成形工程を経て目的の岩盤浴用シート４を得る。
【００３０】
図１に、このようにして製造された岩盤浴用シート４を示し、この岩盤浴用シート４は、シリコンゴム２の中に、粒子を略３００〔μｍ〕以下にした、主鉱物３ａとなるバドガシュタイン鉱石と北投石の一方又は双方の粉末、及び他の一又は二以上の補助鉱物３ｂの粉末が、３０〔重量％〕（２０〜４０〔重量％〕）混在し、かつ厚さＤｔが略２〔ｍｍ〕（１〜３〔ｍｍ〕）の岩盤浴用シート４となる。図１に示す岩盤浴用シート４は、全体形状が正方形であるが、長方形，円形，岩形形状など、任意の形状に形成できるとともに、大きさも任意に選定できる。なお、図２に、得られた岩盤浴用シート４の分析結果の一例である元素（ヘビーエレメント）に対する強度（インテンシティ）特性を示す。
【００３１】
また、岩盤浴用シート４は、ベース材としてシリコンゴム２を使用するため、例えば、図１に仮想線で示すように、任意の大きさの岩盤浴用シート４ｐ…にカッティングすることができる。また、岩盤浴用シート４は、図３に示すように、ロール状に巻くことができる。図３に示す岩盤浴用シート４における仮想線で示す一部４ｕが広げた状態を示し、岩盤浴用シート４における実線で示す一部４ｉがロール状に巻いた状態を示す。このように、岩盤浴用シート４ｉは、ロール状に巻くことができるため、岩盤浴具１を保管する際の保管性及び持ち運びする際の携帯性を高めることができる利点がある。
【００３２】
次に、本実施形態に係る岩盤浴具１の使用方法について、図４〜図６を参照して説明する。
【００３３】
まず、図４は、お風呂に使用する基本的な使用態様を示す。図４は、一般的な家庭用の浴槽２１の内部底面２１ｄに、岩盤浴用シート４をそのまま敷いて用いる例を示す。岩盤浴用シート４は、ベース材としてシリコンゴム２を使用しているため、図４に示すように、内部底面２１ｄの隅部に岩盤浴用シート４の一部が跨がっても隅部の形状に沿って湾曲する。即ち、本実施形態に係る岩盤浴用シート４は、非平坦面上に敷いても、当該非平坦面の状態に沿って馴染ませることができる利点がある。
【００３４】
これにより、人（人体Ｈ）が風呂に入り、岩盤浴用シート４の上にそのまま座れば、岩盤浴用シート４は、人体Ｈに対して直接的にあてがわれることになり、容易に岩盤浴Ｐを行うことができる。即ち、岩盤浴用シート４は、シリコンゴム２に、主鉱物３ａとなるバドガシュタイン鉱石と北投石の双方の粉末、及び補助鉱物２ｂの粉末、更には第三グループの鉱物を混在させたため、鉱物の作用によるラドン，遠赤外線，マイナスイオンなどが浴槽２１内の湯Ｌに対して作用する。この場合、岩盤浴用シート４を湯Ｌに収容したときから概ね１０分程度を経て湯質に変化が現れるため、容易かつ気軽に岩盤浴効果を享受することができる。特に、岩盤浴用シート４は、シリコンゴム２を用いているため、クッション作用を呈し、座り心地も快適である。
【００３５】
一方、図５は、岩盤浴用シート４（４ｐ）を人体Ｈに対して間接的にあてがうための補助具１１を用いた実施態様を示す。この補助具１１は、人体Ｈの腰に巻付け、かつ岩盤浴用シート４を収容する複数のポケット１２ａ，１２ｂ…を有する腰巻バンド１３を用いたものである。この腰巻バンド１３は、吸水性及び通気性の良好な素材（シルク等）による細長いバンド本体３１を有し、このバンド本体３１の外側に、このバンド本体３１と同一形状のアウタシート３２をポケット形状に沿った縫付部３３ｃ…により縫い付ける。これにより、上方に向いたポケット口１２ｃｏ…を有する複数のポケット１２ａ，１２ｂ，１２ｃ…を設けることができる。また、バンド本体３１の両端付近には、対となる面ファスナ３５ｘ，３５ｙをそれぞれ設ける。
【００３６】
この腰巻バンド１３は、図５に示すように、岩盤浴用シート４（４ｐ）をポケット口１２ｃｏに対して上方（矢印Ｆｕ方向）から収容できる。この場合、ポケット１２ａ…は、複数設けたため、岩盤浴用シート４（４ｐ）も複数用意し、各ポケット１２ａ…の全部又は一部に収容できる。この際、必要により使い捨てカイロなど、岩盤浴用シート４（４ｐ）以外のものを収容することも可能である。そして、腰巻バンド１３を人体Ｈの腰に巻き、面ファスナ３５ｘと３５ｙ同士を装着すればよい。このように、補助具１１として、人体Ｈの腰に巻付け、かつ岩盤浴用シート４（４ｐ）を収容する一又は二以上のポケット１２ａ，１２ｂ…を有する腰巻バンド１３を用いれば、岩盤浴用シート４の有効性及び装身性を高めることができる利点がある。
【００３７】
他方、図６は、座布団４１における座布団カバー４２の上面又は下面にアウタシート４３を縫付部４４ｃ…により縫い付けることにより、一辺が開放されたシート収容部（ポケット）４５を設け、このポケット４５の収容口４５ｏに、岩盤浴用シート４（４ｐ）を矢印Ｆｗ方向から収容できるようにしたものである。
【００３８】
このように、腰巻バンド１３及び座布団カバー４２は、岩盤浴用シート４（４ｐ）を人体Ｈにあてがうための補助具１１となる。このような補助具１１を用いることにより、岩盤浴用シート４の多機能性（多様性）及び発展性、更には使い勝手を高めることができる利点がある。
【００３９】
よって、本実施形態に係る岩盤浴具１によれば、シリコンゴム２の中に、粒子を略３００〔μｍ〕以下にした、主鉱物３ａとなるバドガシュタイン鉱石と北投石の一方又は双方の粉末、及び他の一又は二以上の補助鉱物３ｂの粉末を、２０〜４０〔重量％〕混在させ、かつ厚さＤｔを略１〜３〔ｍｍ〕に形成した岩盤浴用シート４を備えるため、シンプルな構成により安価に提供できるとともにランニングコストも無視でき、経済性にも優れる。また、シリコンゴム２をベース材に使用した岩盤浴用シート４を備えるため、例えば、ロール状に巻くことができるなど、岩盤浴具１を保管する際の保管性及び持ち運びする際の携帯性を高めることができる。したがって、例えば、一般家庭の浴槽の内部等に敷いて利用できるなど、専用の装置が不要になるとともに、そのための設置スペースも不要となり、家庭レベル或いは個人レベルにおいて手軽に岩盤浴を行うことができる。しかも、岩盤浴用シート４を人体Ｈに対して直接的に又は間接的にあてがうことにより、人体Ｈの体温と岩盤浴用シート４が共鳴して人体Ｈを効果的に温めることができる。
【００４０】
以上、最良の実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００４１】
例えば、実施形態では、主鉱物３ａとなるバドガシュタイン鉱石と北投石の双方を用いた場合を示したが、いずれか一方のみを用いてもよい。また、実施形態では、補助鉱物３ｂとして、ラドン鉱石，ドラバイト鉱石，ブラックシリカ及びリモナイトの全てを用いた場合を示したが、選択した一又は二以上を用いてもよい。なお、本発明における鉱物とは、鉱石は勿論のこと、粘土，砂，セラミックス等も含む概念である。一方、岩盤浴用シート４の用途として、お風呂に利用した場合を例示したが、その他、小型の容器（洗面器等）にお湯を入れ、この中に岩盤浴用シート４（４ｐ）を収容することにより足湯として利用できるなど、各種用途に利用できる。また、補助具１１として、腰巻バンド１３と座布団カバー４２を例示したが、その他、各種補助具１１を適用することができる。
【図面の簡単な説明】
【００４２】
【図１】本発明の最良の実施形態に係る一部抽出拡大図を含む岩盤浴用シートの斜視図、
【図２】同岩盤浴用シートの分析結果の一例である配合元素に対する強度（インテンシティ）特性図、
【図３】同岩盤浴用シートの作用を説明するための側面図、
【図４】同岩盤浴用シートの用途を説明するための浴槽の断面を含む説明図、
【図５】同岩盤浴用シートに用いる補助具（腰巻バンド）の斜視図、
【図６】同岩盤浴用シートに用いる補助具（座布団カバー）の斜視図、
【符号の説明】
【００４３】
１：岩盤浴具，２：シリコンゴム，３ａ：主鉱物，３ｂ：補助鉱物，４：岩盤浴用シート，１１：補助具，１２ａ…：ポケット，１３：腰巻バンド，Ｈ：人体，Ｐ：岩盤浴，Ｄｔ：厚さ
【図１】
2008148899.tif 000003
【図２】
2008148899.tif 000004
【図３】
2008148899.tif 000005
【図４】
2008148899.tif 000006
【図５】
2008148899.tif 000007
【図６】
2008148899.tif 000008
【手続補正書】
【提出日】平成18年12月21日(2006.12.21)
【手続補正１】
【補正対象書類名】図面
【補正対象項目名】図５
【補正方法】変更
【補正の内容】
【図５】
2008148899.tif 000009